(57)【要約】【目的】印刷指示端末が移動して近距離無線通信を行うことができなくなった場合でも確実に印刷終了通知を受け取ることが可能であり、印刷指示者は印刷終了を知ることができる印刷装置を提供すること。【構成】    近距離無線通信インタフェースを持つ印刷装置と近距離無線通信インタフェースを用いて前記印刷装置に対して印刷指示を行うことができる印刷指示端末において、前記印刷指示端末が前記印刷装置に対して印刷指示を行う時に印刷終了通知を通知する宛先として近距離無線通信以外の第２の通信手段を指定して印刷指示と同時に前記印刷装置に対して送信する。【選択図】      図１
2004209907.tif 000002
【特許請求の範囲】
【請求項１】
近距離無線通信インタフェースを持つ印刷装置と近距離無線通信インタフェースを用いて前記印刷装置に対して印刷指示を行うことができる印刷指示端末において、前記印刷指示端末が前記印刷装置に対して印刷指示を行う時に印刷終了通知を通知する宛先として近距離無線通信以外の第２の通信手段を指定して印刷指示と同時に前記印刷装置に対して送信することを特徴とする印刷装置。
【請求項２】
印刷終了時前記印刷指示端末が近距離無線通信可能状態にある時は近距離無線通信を用いて印刷終了通知を行い、前記印刷指示端末が近距離無線通信不可能な状態にある時は前記印刷指示端末より印刷指示と同時に指定された第２の通信手段を用いて印刷終了通知を行うことを特徴とする請求項１記載の印刷装置。
【請求項３】
ファクシミリを送受信するための公衆電話回線インタフェースも持つ印刷装置において、前記第２の通信手段として公衆電話回線を使用した電話番号を指定することができることを特徴とする請求項１又は２記載の印刷装置。
【請求項４】
印刷終了時前記印刷指示端末が近距離無線通信可能状態にある時は近距離無線通信を用いて印刷終了通知を行い、前記印刷指示端末が近距離無線通信不可能な状態にある時は、前記第２の通信手段として公衆電話回線を用いた電話番号が指定されていた場合は前記印刷装置に予め登録された音声或は音声合成された音声を用いて印刷終了通知を行うことを特徴とする請求項３記載の印刷装置。
【発明の詳細な説明】
【０００１】
【発明の属する技術分野】
本発明は、近距離無線通信インタフェースを有し、印刷指示を行った端末に対して印刷終了通知を返送することができる印刷装置に関するものである。
【０００２】
【従来の技術】
従来、有線ＬＡＮに接続された印刷装置に対して印刷指示を行った端末に対して、有線ＬＡＮを介して印刷終了通知を返送する印刷装置は知られている。
【０００３】
現在、有線ＬＡＮに加えて、近距離無線通信インタフェースも有する印刷装置が登場しているが、有線ＬＡＮにより指示された印刷が終了した時の印刷終了通知は有線ＬＡＮにより行われ、又、近距離無線通信を用いて指示された印刷が終了した時の印刷終了通知は近距離無線通信を用いて行われていた。
【０００４】
【発明が解決しようとする課題】
しかしながら、上記従来例では、複数の通信インタフェースを持ちながら、それらを有効に活用できていないという課題がある。
【０００５】
特に、近距離無線通信を用いた通信に関しては、通信相手が時間の経過とともに移動して通信不可能な状態になってしまう可能性がある。近距離無線通信を介して印刷指示は行ったが、印刷が終了して印刷装置側が印刷終了を通知しようとした時には印刷指示を行った端末が通信不可能な場所へ移動してしまった状況である。この場合、従来の技術においては近距離無線通信が不可能なので印刷終了通知は返送されないことになる。従って、離れた場所にいる印刷要求者は、印刷終了を知ることができないという問題がある。
【０００６】
本発明は上記問題に鑑みてなされたもので、その目的とする処は、印刷指示端末が移動して近距離無線通信を行うことができなくなった場合でも確実に印刷終了通知を受け取ることが可能であり、印刷指示者は印刷終了を知ることができる印刷装置を提供することにある。
【０００７】
【課題を解決するための手段】
上記目的を達成するため、本発明では近距離無線通信端末より印刷指示を行う場合に近距離無線通信が不可能な時の通信先としての第２の通信手段を印刷指示と同時に印刷装置に送信し、近距離無線通信が不可能な場合には自動的に第２の通信手段を用いて印刷終了通知を行うようにした。
【０００８】
又、第２の通信手段として公衆電話回線を用いた電話番号を設定可能とし、公衆電話回線を用いて印刷終了通知を行う場合には予め記憶された音声か或は音声合成された音声を用いて印刷終了通知を行うことができるようにした。
【０００９】
【発明の実施の形態】
以下に本発明の実施の形態を添付図面に基づいて説明する。
【００１０】
図１を用いて本発明の構成を説明する。
【００１１】
１００は本発明の印刷装置であり、本印刷装置は有線ＬＡＮのインタフェースとファクシミリ送受信を行うための公衆電話回線インタフェースと近距離無線通信インタフェースを有している。
【００１２】
１０１は本発明の印刷装置１００と近距離無線通信可能なインタフェースを持つ印刷指示端末であり、図中の近距離無線通信可能範囲内にあるときには近距離無線通信を用いて印刷装置１００と通信を行っている。
【００１３】
１０１−２は１０１の印刷指示端末が移動して近距離無線通信可能範囲外にあることを示している。１０２，１０３は印刷装置１００と有線ＬＡＮを介して接続された端末１，２である。１０４は印刷指示端末１０１の使用者が所持している携帯電話である。
【００１４】
印刷装置１００には予め印刷終了通知を音声で行うための音声データとして例えば「印刷が完了しました」という音声データが記憶されている。
【００１５】
以上の構成にて、図２のフローチャートを用いて本発明の印刷指示端末と印刷装置の動作を説明する。
【００１６】
２００において、印刷指示端末１０１より近距離無線通信を介して印刷装置１００へ印刷指示が送信され、印刷データと共に、印刷終了通知要求有り・無しが通知され、印刷終了通知要求有りの場合は、第２の通信手段も同時に指示される。
【００１７】
先ず、印刷終了通知要求有りの場合の動作を以下に説明する。
【００１８】
印刷装置１００は２０１において指示された印刷データの印刷を行い、印刷が終了すると２０２において印刷終了通知要求有りか無しかを判断する。
【００１９】
印刷終了通知要求有りなので、２０３において印刷指示された印刷指示端末１０１が近距離無線通信可能か不可能かを判断する。このとき、印刷指示端末が印刷指示した時と同様に図１の近距離無線通信可能範囲内にあれば、近距離無線通信が可能であるので、２０４にて近距離無線通信を用いて印刷終了通知を行い、２０８にて印刷処理を終了する。近距離無線通信を介して印刷終了通知を受け取った印刷指示端末１０１を介して印刷指示者は印刷終了を知ることができる。
【００２０】
２０３において印刷指示端末が図１の１０１−２の位置に移動していた場合、近距離無線通信が不可能であるので、２０５において第２の通信手段が判断される。
【００２１】
第２の通信手段が電子メールであり、電子メールアドレスが指定されていた場合は２０６にて有線ＬＡＮを介して電子メールにて印刷終了通知を行い、２０８にて終了する。印刷指示者は電子メールを読むことができる環境、例えば図１の１０２のような端末を用いて印刷終了を知ることができる。
【００２２】
２０５において第２の通信手段が公衆電話回線であり、電話番号が指示されていた場合は２０７において公衆電話回線インタフェースを用いて予め記憶された音声データが再生される。
【００２３】
電話番号が図１の１０４のように印刷指示者の所持する携帯電話であれば印刷指示者は本音声通話によって印刷終了を知ることができる。
【００２４】
音声通話が終了すると２０８にて印刷処理が終了する。
【００２５】
印刷終了通知要求無しの場合は２０２において終了通知要求無しが判断され、印刷終了通知無しに２０８にて印刷処理は終了する。
【００２６】
本実施の形態においては予め記録された音声データを用いて印刷終了通知を行ったが、印刷装置１００内部にて音声合成を行うことでも可能である。又、本実施の形態では、第２の通信手段として電子メールと電話の２つを説明したが、その他の通信手段も指定可能である。
【００２７】
【発明の効果】
以上の説明で明らかなように、本発明によれば、近距離無線通信を用いて印刷指示する端末と印刷装置において印刷指示を行う時に第２の通信手段を指示しておくことで、印刷指示端末が移動して近距離無線通信を行うことができなくなった場合でも確実に印刷終了通知を受け取ることが可能であり、印刷指示者は印刷終了を知ることができる。
【００２８】
又、印刷指示者と印刷終了通知を受け取る人は別であっても構わないので、印刷指示者が印刷指示時に別の人に印刷物の受け取りを頼むことも可能である。
【００２９】
更に、印刷終了通知は、印刷指示端末が近距離無線通信範囲内にあれば近距離無線通信によって通知されるので、費用が掛からない。
【００３０】
又、公衆電話回線を使用して音声通話にて印刷終了通知を行う場合は、発信側に課金されるので、通知を受ける指示者の携帯電話の費用負担が私的なものであっても気にしなくても良いというメリットもある。
【図面の簡単な説明】
【図１】本発明に係る印刷指示端末と印刷装置の構成図である。
【図２】本発明に係る印刷装置の動作を示すフローチャートである。
【符号の説明】
１００          印刷装置
１０１          印刷指示端末
１０１−２      移動後の印刷指示端末
１０２，１０３  有線ＬＡＮ端末
１０４          携帯電話
【図１】
2004209907.tif 000003
【図２】
2004209907.tif 000004